(57)【要約】      （修正有）【課題】取付部材および被取付部材をワンタッチで取り付けることができる留め具に関するものである。【解決手段】留め具は、雌部材１１に雄部材を挿入することにより、雄部材により、雌部材に設けられたスリット１１４を開拡して、固定するものである。雌部材は、挿入孔１１１が設けられているフランジ部１１２と、フランジ部から下方に延びる筒部１１３と、筒部に設けられた複数個のスリット１１４とから少なくとも構成されている。雄部材は、頭部と、軸部と、脚部とから少なくとも構成されている。雄部材は、頭部から下方に延び、雌部材の筒部に挿入されて、筒部を開拡する軸部が成形されている。軸部は、下端部において、雌部材１１の筒部１１３に挿入された際に、筒部１１３の下部を曲げ、円筒形にすることができる。脚部は、係止部が設けられ、取付部材および被取付部材を挟んだ際にガタ付かないようになっている。【選択図】図１
2011002076.tif 000002
【特許請求の範囲】
【請求項１】
挿入孔が設けられているフランジ部と、
前記フランジ部から下方に延びる筒部と、
前記筒部に設けられたスリットと、
から構成されている雌部材；
頭部と、
前記頭部から下方に延び、前記雌部材の筒部に挿入されて、前記筒部を拡開する軸部と、
前記軸部から上部に向かって外方に広がるとともに、前記筒部のスリットから外方に突出した係止部を備えている脚部と、
から構成されている雄部材；
前記雄部材を前記雌部材の挿入孔に押し込み、前記筒部を外方に拡開させて、取付部材と被取付部材の取付孔の縁に当接させて固定するとともに、前記脚部の係止部が前記スリットの外方に突出し、前記取付部材と被取付部材の取付孔の縁に当接させて固定することを特徴とする留め具。
【請求項２】
前記脚部の先端は、前記頭部の下部から両端に向けて突出し、前記取付部材と被取付部材との係止を解除するための操作部であることを特徴とする請求項１に記載された留め具。
【請求項３】
前記操作部は、楔形に成形され、前記操作部が前記頭部と前記フランジ部との間に入り込むことにより、雌部材と雄部材とが引き離されることを特徴とする請求項２記載された留め具。
【請求項４】
前記操作部またはフランジ部は、少なくとも一方に、傾斜部が設けられていることを特徴とする請求項３に記載された留め具。
【発明の詳細な説明】
【技術分野】
【０００１】
本発明は、取付部材および被取付部材をワンタッチで取り付けることができるとともに、前記取付部材および被取付部材の厚さにかかわらず、ガタ付きがなく、かつ、抜け止めしないように取り付けることができる留め具に関するものである。また、本発明は、前記取付部材および被取付部材を容易に取り付けることができると同時に、解除する際に、工具を何等使用することなく、取り外すことができる留め具に関するものである。
【背景技術】
【０００２】
従来の留め具は、たとえば、実開平６−４０４２８号公報に記載されている。図６（イ）および（ロ）は従来の留め具を説明するための一部切り欠いた正面図、（ハ）は上面図である。図６（イ）から（ハ）において、プッシュリベットは、リベット本体（雌部材）６１と、ピン（雄部材）６２とから構成されている。前記リベット本体６１は、フランジ６１１、筒部６１２、スリット６１３とから構成されている。また、ピン６２は、頭部６２１、軸部６２２、ドライバー溝６２３とから構成されている。また、前記フランジ６１１および頭部６２１の間に工具挿入溝６２４が設けられている。
【０００３】
前記ピン６２は、リベット本体６１のフランジ６１１から挿入され、筒部６１２を拡開することにより、図示されていない取付部材および被取付部材を固定することができる。また、前記プッシュリベットは、リベット本体６１とピン６２の係合を解除する場合、ドライバー６２５のような工具を使用して、工具挿入溝６２４に挿入し、こじ開けるようにしていた。
【先行技術文献】
【特許文献】
【０００４】
【特許文献１】実開平６−４０４２８号公報
【発明の概要】
【発明が解決しようとする課題】
【０００５】
前記従来のプッシュリベットは、リベット本体６１とピン６２の弾性により取付部材および被取付部材を取り付けていた。前記プッシュリベットは、再利用に際し、部材自身がへたる場合があり、元に戻らなく、抜けてしまうことがあり、信頼性に問題があった。また、前記プッシュリベットは、取付部材および被取付部材が薄い場合、開孔部にガタができるという問題があった。また、前記プッシュリベットは、前記取付部材と被取付部材の係合を解除する場合、工具を用いて強制的に解除しなければならなかった。
【０００６】
以上のような課題を解決するために、本発明は、取付部材および被取付部材の厚さが薄いものであっても、係合部にガタ付きがなく、かつ、雄部材および雌部材が抜けることのない留め具を提供することを目的とする。また、本発明は、前記取付部材および被取付部材の係合にガタ付きがなく、抜けることがないと同時に、前記雌部材から前記雄部材を解除する際に、特別の工具を必要としない留め具を提供することを目的とする。
【課題を解決するための手段】
【０００７】
（第１発明）
本発明の留め具は、挿入孔が設けられているフランジ部と、前記フランジ部から下方に延びる筒部と、前記筒部に設けられたスリットとから構成されている雌部材；
頭部と、前記頭部から下方に延び、前記雌部材の筒部に挿入されて、前記筒部を開拡する軸部と、前記軸部から上部に向かって外方に広がるとともに、前記筒部のスリットから外方に突出した係止部を備えている脚部とから構成されている雄部材；
前記雄部材を前記雌部材の挿入孔に押し込み、前記筒部を外方に拡開させて、取付部材と被取付部材の取付孔の縁に当接させて固定するとともに、前記脚部の係止部が前記スリットの外方に突出し、前記取付部材と被取付部材の取付孔の縁に当接させて固定することを特徴とする留め具。
【０００８】
（第２発明）
第２発明の留め具において、前記脚部の先端は、前記頭部の下部から両端に向けて突出し、前記取付部材と被取付部材との係止を解除するための操作部であることを特徴とする。
【０００９】
（第３発明）
第３発明の留め具において、前記操作部は、楔形に成形され、前記操作部が前記頭部と前記フランジ部との間に入り込むことにより、雌部材と雄部材とが引き離されることを特徴とする。
【００１０】
（第４発明）
第４発明の留め具において、前記操作部またはフランジ部は、少なくとも一方に、傾斜部が設けられていることを特徴とする。
【発明の効果】
【００１１】
本発明の留め具によれば、弾性に富んだ雌部材の筒部の拡開、および雄部材における脚部が前記筒部のスリットから外方に突出し、取付部材と被取付部材の開孔縁に係止し、前記取付部材および被取付部材の厚さが異なる場合であっても、ガタ付きがなく、また、雄部材の抜けを防ぐことができる。
【００１２】
本発明によれば、留め具における雄部材および雌部材が搬送中にバラバラにならずに一体にするための係止部を有するため、組み立てが迅速にできる。また、前記雄部材および雌部材は、取付部材および被取付部材の開孔部に挿入された後、前記雄部材の頭部を押すことにより、前記雌部材の筒部が拡開して、前記被取付部材および取付部材が互いに固定されるとともに、組み立てが容易で、かつ、迅速にできる。
【００１３】
本発明によれば、頭部の下部に操作部を設け、前記操作部の両端を内部方向に押すだけで、前記取付部材および被取付部材が留め具から解除されるため、工具を使用することなく、前記雌部材および雄部材の係合を容易に解除させることができる。
【００１４】
本発明によれば、操作部を楔形に成形、あるいはフランジの一部に傾斜部を設けることにより、前記操作部を押すだけで、工具を使用することなく、簡単に前記雄部材および雌部材の係合を容易に解除させることができる。
【図面の簡単な説明】
【００１５】
【図１】（イ）および（ロ）は本発明の実施例である雌部材の一部切欠き平面図、（ハ）は本発明の実施例である雌部材の上面図、（ニ）は（ハ）のＡ−Ａ断面図である。（実施例１）
【図２】（イ）および（ロ）は本発明の実施例である雄部材の一部切欠き平面図、（ハ）は本発明の実施例である雄部材の上面図である。
【図３】（イ）は雌部材と雄部材が離れている状態を説明する平面図、（ロ）は雌部材と雄部材が一部係合している状態を説明する平面図、（ハ）は雌部材と雄部材が完全に係合した状態を説明する平面図である。
【図４】本発明の実施例であり、雌部材と雄部材によって、取付部材および被取付部材を取り付けた状態を説明するための平面図である。
【図５】本発明の他の実施例を説明するための図である。（実施例２）
【図６】（イ）および（ロ）は従来例における留め具の一部切欠き正面図、（ハ）は上面図である。
【発明を実施するための形態】
【００１６】
（第１発明）
第１発明の留め具は、取付部材および被取付部材に設けられた取付孔に挿入されて、前記両者を互いに取り付けるものである。前記留め具は、雌部材に雄部材を挿入することにより、前記雄部材により、雌部材に設けられたスリットを有する筒部を拡開して、取付部材および被取付部材が互いに外れないように固定するものである。前記雌部材は、挿入孔が一体に設けられているフランジ部と、前記フランジ部から下方に一体に延びている筒部と、前記筒部に設けられたほぼ十字状に切られスリットとから少なくとも構成されている。前記十字状に切られたスリットは、後述する脚部、およびスライド凸部を挿入できる溝状に成形されている。前記雌部材および雄部材は、たとえば、金型を用いて、弾性を有する合成樹脂部材により成形される。
【００１７】
前記雄部材は、頭部と、軸部と、脚部とから少なくとも構成されている。前記雄部材は、前記頭部から下方に延び、前記雌部材の筒部に挿入されて、前記筒部を拡開する軸部が成形されている。前記軸部は、前記雌部材の前記十字状に切られたスリットに挿入できる一対の脚部、ほぼ対角状に両側に設けられたスライド凸部、および、下端部において、前記雌部材の筒部に挿入された際に、前記筒部の下部を曲げることができる円筒部とから構成されている。また、前記脚部は、下部から上部に向かって外方に広がるような形状に設けられているとともに、中間部近傍に取付部材および被取付部材を係止し、あるいは後述の操作部を押すことにより前記脚部を抜け易くする係止部を備えている。前記係止部は、前記脚部において、緩やかに膨らんだ突起とすることができる。前記脚部に設けられた係止部は、厚めの取付部材および被取付部材を挟んだ際にガタ付かないようにすることもできる。
【００１８】
前記取付部材および被取付部材の取り付けに際し、前記雄部材は、前記雌部材の挿入孔に押し込まれる。前記複数のスリットを備えた筒部は、前記雄部材の挿入によって、外方に拡開され、前記取付部材と被取付部材が係止される。また、前記脚部は、前記筒部のスリットから外方に一部が突出し、前記取付孔の縁に当接され、前記取付部材と被取付部材とが固定される。前記留め具は、前記雄部材の脚部が前記取付部材と被取付部材の開孔部に係止し、前記取付部材および被取付部材の厚さが異なる場合であっても、ガタ付きがなく、また、雄部材の抜けを防ぐことができる。すなわち、本発明の留め具は、前記取付部材および被取付部材が薄い場合、前記係止部の上に係止され、厚い場合、前記係止部の傾斜部を利用して固定しているため、厚さが異なってもガタ付かずに固定することができる。
【００１９】
前記雄部材および雌部材は、弾性を有する合成樹脂等により金型で成形された後、前記雄部材を雌部材に挿入する。前記雄部材は、前記脚部に設けられたスライド凸部に設けられた仮止め凸部を前記雌部材のフランジの下部に係合させた状態で、組み立て工場に搬送される。前記雄部材および雌部材は、搬送中にバラバラにならず一体になっている。そして、前記雄部材および雌部材は、取付部材および被取付部材の開孔部に挿入された後、前記雄部材の頭部を押すことにより、前記雌部材の筒部が拡開して、互いに固定され、組み立てが迅速にできる。また、前記雄部材および雌部材は、十字状に設けられている脚部とスライド凸部をスリットおよびスライド溝に安定して、迅速に挿入することができる。
【００２０】
（第２発明）
第２発明の留め具は、前記雄部材に設けられた前記脚部の先端に、操作部が設けられている。前記脚部の先端は、前記頭部の下部から上方に向けて延出されているとともに、前記頭部の下部に沿って、両端に向けて突出した一対の操作部が成形されている。前記操作部は、前記頭部の下部において、両端を内部方向に押すことにより、係止部に係止されていた前記取付部材と被取付部材との係止が解除される。前記操作部は、両端をつまむだけで、内部方向に押すことができ、前記脚部が狭まり、雌部材の拡開が元に戻り、前記取付部材と被取付部材との係合を工具を使用することなく、前記雌部材および雄部材の係合を容易に解除させることができる。
【００２１】
（第３発明）
第３発明の留め具は、前記操作部が楔形に成形されているとともに、雌部材のフランジ部に前記操作部を出し入れできる凹部が成形されている。前記操作部は、両端を押すことにより、前記頭部と前記フランジ部との間に成形された凹部に入り込み、前記雌部材と雄部材とを引き離すことができる。前記留め具は、前記操作部を楔形に成形することにより、前記操作部をつまむことにより、簡単に雌部材の拡開を解除することができる。
【００２２】
（第４発明）
第４発明の留め具は、前記操作部またはフランジ部の少なくとも一方に、傾斜部を設けている。前記傾斜部は、前記操作部の下部、またはフランジ部における凹部の先端部に設けられている。前記操作部は、前記傾斜部に設けられた斜面により、雄部材の引き上げを容易にする。
【実施例】
【００２３】
図１（イ）および（ロ）は本発明の実施例である雌部材の一部切欠き平面図、（ハ）は本発明の実施例である雌部材の上面図、（ニ）は（ハ）のＡ−Ａ断面図である。図１（イ）から（ニ）において、留め具は、図示されていない取付部材および被取付部材に設けられた開孔部（図４符号４３参照）に挿入されて、前記両者を互いに取り付けるものである。前記留め具は、自動車の内装部等に取り付ける以外に、航空機、鉄道あるいは住宅設備等の内装に適用できる。また、前記留め具は、アパレル分野のバックル、配管留め、配送ボックスのロック等に使用することができる。
【００２４】
前記留め具は、雌部材１１（図１）および雄部材２１（図２）から構成されている。前記雌部材１１および前記雄部材２１は、図４に示す取付部材４１および被取付部材４２の開孔部４３に挿入される。前記雌部材１１は、前記雄部材２１を挿入孔１１１に挿入すると、ほぼ十字状に成形されたスリット１１４およびスライド溝１１８の協働により、前記雄部材２１の軸部が筒部１１３を拡開させて、前記取付部材および前記被取付部材が互いに外れないように固定するものである。
【００２５】
前記雌部材１１は、挿入孔１１１が設けられているフランジ部１１２と、前記フランジ部１１２から下方に一体に延びる筒部１１３と、前記筒部１１３に設けられた複数個のスリット１１４およびスライド溝１１８とから少なくとも構成されている。前記スリット１１４およびスライド溝１１８は、前記筒部１１３の下部が十字に切られ、上部において、フランジ部１１２の下部に一体に連設されている。
【００２６】
前記フランジ部１１２は、上部に、後述する雄部材２１の頭部２１１を嵌合できる頭部挿入凹部１１５が成形されている。また、前記フランジ部１１２は、前記頭部挿入凹部１１５の両端がなく、かつ、深さが深い操作部挿入凹部１１６が成形されている。前記雌部材１１および雄部材２１は、たとえば、金型を用いて、合成樹脂部材により成形されている。
【００２７】
図２（イ）および（ロ）は本発明の実施例である雄部材の一部切欠き平面図、（ハ）は本発明の実施例である雄部材の上面図である。図２（イ）から（ハ）において、前記雄部材２１は、頭部２１１と、軸部２１２と、脚部２１４、２１４′と、スライド凸部２１９、２１９′とから少なくとも構成されている。前記雄部材２１は、前記頭部２１１から下方に延びる軸部２１２が、前記雌部材１１の筒部１１３に挿入され、前記スリット１１４およびスライド溝１１８により、前記筒部１１３を拡開する。前記スライド凸部２１９、２１９′は、前記雌部材１１に成形されたスライド溝１１８を案内として挿入されるとともに、第１仮止凸起２２０、２２０′第２仮止凸起２２１、２２１′によって、後述の係止部２１７、２１７′と仮止めができる。
【００２８】
前記軸部２１２は、下端部において、前記雌部材１１の筒部１１３に挿入された際に、前記筒部１１３の下部を曲げることができるほぼ円筒部２１３を成形するこすることができる。前記円筒部２１３は、下方を膨出することにより、前記雌部材１１を構成する筒部１１３の拡開をスリット１１４およびスライド溝１１８とともに確実にすることができる。また、前記脚部２１４、２１４′および前記スライド凸部２１９、２１９′は、断面が十字状に成形されており、前記雌部材１１のスリット１１４およびスライド溝１１８に真っ直ぐに挿入される。
【００２９】
また、前記軸部２１２は、下部から上部に向かって外方に広がる一対の脚部２１４、２１４′が設けられているとともに、中間部近傍に取付部材および被取付部材を係止することができるとともに、操作部２１５、２１５′を押して雄部材２１を抜け易くする係止部２１７、２１７′を備えている。前記脚部２１４、２１４′は、係止部２１７に弾性を持たせている。前記係止部２１７、２１７′は、前記脚部２１４、２１４′において、緩やかに膨らんだ突起とすることができる。前記脚部２１４、２１４′に設けられた係止部２１７、２１７′は、前記比較的厚めの取付部材および被取付部材を挟んだ際にガタ付かないような傾斜を持った形状になっている。
【００３０】
前記留め具は、前記雄部材２１に設けられた前記脚部２１４、２１４′の先端で、頭部２１１の下部に位置する部分に、一対の操作部２１５、２１５′が設けられている。前記脚部２１４、２１４′の上部先端は、前記頭部２１１の下部から上方に向けて延出されているとともに、前記頭部２１１の下部に沿って、両端に向けて突出した一対の操作部２１５、２１５′が一体に連設されている。
【００３１】
前記操作部２１５、２１５′は、前記頭部２１１の下部において、両端を内部方向に、つまむように押すことにより、係止部２１７、２１７′に係止されていた前記取付部材と被取付部材との係止が緩むとともに、前記係止部２１７、２１７′の傾斜が凹むことにより前記雄部材２１の係合を容易に解除する。前記操作部２１５、２１５′は、両端をつまんで内部方向に押すだけで、前記脚部２１４、２１４′が狭まる方向に移動し、前記雌部材の拡開を元の位置に戻すことができるため、前記取付部材と被取付部材との係合を工具を使用することなく、また、前記雌部材１１および雄部材２１の係合を容易に解除させることができる。
【００３２】
前記留め具は、前記操作部２１５、２１５′の形状が前記頭部２１１の下部に向かって傾斜している楔形に成形されている。また、前記雌部材１１のフランジ部１１２は、前記操作部２１５、２１５′が出し入れできる操作部挿入凹部１１６が頭部挿入凹部１１５の下部に成形されている。前記操作部２１５、２１５′は、両端をつまむように押すだけで、前記頭部２１１と前記フランジ部１１２との間に成形された操作部挿入凹部１１６に入り込み、前記雌部材１１と雄部材２１とを引き離すことができる。
【００３３】
前記留め具は、前記操作部２１５、２１５′またはフランジ部１１２の少なくとも一方に、傾斜部１１７（図１（ロ）参照）を設けることができる。前記傾斜部１１７は、前記操作部２１５、２１５′の下部、またはフランジ部１１２における操作部挿入凹部１１６の先端部に設けることができる。前記操作部２１５、２１５′は、前記傾斜部１１７に設けられた斜面により、雄部材２１の引き上げを容易にする。
【００３４】
図３（イ）は雌部材と雄部材が離れている状態を説明する平面図、（ロ）は雌部材と雄部材が一部係合している状態を説明する平面図、（ハ）は雌部材と雄部材が完全に係合した状態を説明する平面図である。図３（イ）において、雌部材１１と雄部材２１は、それぞれ別の金型により成形される、二つの部品から構成されている。
【００３５】
図３（ロ）において、前記雌部材１１は、前記雄部材２１が一部挿入されている状態になっている。前記雄部材２１は、係合部２１７、２１７′が雌部材１１のフランジ部１１２の下部に係合している。前記雌部材１１および雄部材２１は、前記フランジ部１１２に対する係合部２１７、２１７′の係合により、二つの部品がばらばらにならず、常に一対の状態になっているため、組み立を迅速に行うことができる。図３（ハ）において、前記雄部材２１は、頭部２１１を下部に押し下げられて、雌部材１１の挿入孔に押し込まれる。
【００３６】
図４は本発明の実施例であり、雌部材と雄部材によって、取付部材および被取付部材を取り付けた状態を説明するための平面図である。図４において、取付部材４１および被取付部材４２は、開孔部４３に雌部材１１を挿入した後、雄部材２１の軸部２１３を押し込む。前記雌部材１１における複数のスリット１１４およびスライド溝１１８を備えた筒部１１３は、前記雄部材２１の挿入によって、外方に拡開され、取付部材４１と被取付部材４２が脚部２１４の前記係止部２１７の上部に係止される。
【００３７】
また、前記脚部２１４は、前記筒部１１３のスリット１１４から外方に一部が突出し、前記開孔部４３の縁に当接され、前記取付部材４１と被取付部材４２とが固定される。前記留め具は、前記雄部材２１の脚部２１４が前記取付部材４１と被取付部材４２の開孔部４３に係止し、前記取付部材４１および被取付部材４２の厚さが異なる場合でも、ガタ付きがなく、また、雄部材２１の抜けを防ぐことができる。
【００３８】
図５本発明の他の実施例を説明するための図である。図５において、留め具は、雌部材５１と、雄部材５２とから構成され、合成樹脂等により金型で成形されている。前記雌部材５１および雄部材５２は、前記実施例とほぼ同じ形状のものである。本実施例の雄部材５２は、脚部５２３に操作部がない点で、前記実施例と異なっている。前記留め具は、取り外しが不要な場合であり、操作部の部分がなくなっている。前記脚部５２３は、係止部５２４によって、取付部材および被取付部材が取り付けられる形状であれば良い。
【００３９】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明の留め具は、特許請求の範囲に記載された範囲により、各部の形状および寸法を一部変更することができることはいうまでもない。また、本発明の留め具は、使用場所により、異なる公知または周知の材料を用い、弾性等を任意に変えることができる。
【符号の説明】
【００４０】
１１・・・雌部材
１１１・・・挿入孔
１１２・・・フランジ部
１１３・・・筒部
１１４・・・スリット
１１５・・・頭部挿入凹部
１１６・・・操作部挿入凹部
１１７・・・傾斜部
２１・・・雄部材
２１１・・・頭部
２１２・・・軸部
２１３・・・円筒部
２１４、２１４′・・・脚部
２１５、２１５′・・・操作部
２１６、２１６′・・・楔状部
２１７、２１７′・・・係止部
４１・・・取付部材
４２・・・被取付部材
４３・・・開孔部
【図１】
2011002076.tif 000003
【図２】
2011002076.tif 000004
【図３】
2011002076.tif 000005
【図４】
2011002076.tif 000006
【図５】
2011002076.tif 000007
【図６】
2011002076.tif 000008